(57)【要約】【課題】  電池の寿命を向上するとともに、視聴頻度の高いチャンネルから任意のチャンネルを選択可能にするリモコン装置を提供すること。【解決手段】  放送受信装置から選局の都度に受信した選局番組の番組コードを視聴履歴情報として第１の不揮発性メモリに記憶させ（Ｓ２０）、視聴履歴情報から同一番組コードを有する番組の視聴回数を抽出して第２の不揮発性メモリに記憶させ（Ｓ５０）、番組の視聴回数が所定回数を超えた場合に、この番組コードを高視聴頻度番組情報として第３の不揮発性メモリに記憶させ（Ｓ８０）、番組コードに含まれる番組の放送時間が現在の時刻情報と一致する場合に、この番組コードに対応する番組の視聴頻度が高い旨を表示部に表示させ（Ｓ２３０）、視聴頻度が高い番組情報が選択された場合には、この番組情報に含まれる番組コードを放送受信装置に送信する（Ｓ２５０）。【選択図】図６
2007325085.tif 000002
【特許請求の範囲】
【請求項１】
所望の番組に対応した番組コードを放送受信装置に送信して選局するリモコン装置であって、
前記放送受信装置から選局の都度に受信した選局番組の前記番組コードを視聴履歴情報として第１の不揮発性メモリに記憶するように制御する第１の制御手段と、
前記第１の不揮発性メモリから読み出した視聴履歴情報から同一番組コードを有する番組の視聴回数を抽出して第２の不揮発性メモリに記憶するように制御する第２の制御手段と、
前記第２の不揮発性メモリに記憶した番組の視聴回数が所定回数を超えた場合に、この番組コードを高視聴頻度番組情報として第３の不揮発性メモリに記憶するように制御する第３の制御手段と、
前記第３の不揮発性メモリから読み出した番組コードに含まれる番組の放送時間が現在の時刻情報と一致する場合に、この番組コードに対応する番組の視聴頻度が高い旨を表示部に表示するように制御する第４の制御手段と、
前記視聴頻度が高い番組情報が選択された場合には、この番組情報に含まれる番組コードを前記放送受信装置に送信するように制御する第５の制御手段とを備えたことを特徴とするリモコン装置。
【請求項２】
請求項１記載のリモコン装置において、
前記第３の制御手段は、
前記第３の不揮発性メモリに記憶された高視聴頻度番組情報の視聴回数が、規定の回数を超えていない場合に、この番組の番組コードを有する一連の情報を前記第３の不揮発性メモリから消去するように制御することを特徴とするリモコン装置。
【請求項３】
請求項１記載のリモコン装置において、
前記第３の制御手段は、
前記第３の不揮発性メモリに記憶された高視聴頻度番組情報に対する視聴時間が当該番組の放送時間と比較して所定の比率以下の場合に、当該番組コードの一連の情報を前記第３の不揮発性メモリから消去するように制御することを特徴とするリモコン装置。
【請求項４】
請求項１記載のリモコン装置において、
前記第３の制御手段は、
番組改変時期に、前記第３の不揮発性メモリに記憶されている情報を全て消去するように制御することを特徴とするリモコン装置。
【請求項５】
請求項４記載のリモコン装置において、
前記第３の制御手段は、
番組改変時期に、少なくとも２回以上の番組改変時期を越えて継続して視聴している番組コードを前記消去後に前記第３の不揮発性メモリに再び記憶するように制御することを特徴とするリモコン装置。
【請求項６】
請求項１記載のリモコン装置において、
前記第１の不揮発性メモリは、
基板上に、
データ記憶手段として強誘電体材料を使用した強誘電体キャパシタを用いたメモリセルと、マトリクス状に複数個並んで配置されている前記メモリセルの中から任意のメモリセルを選択する選択信号が供給される選択線と、前記メモリセルに第１の電圧が供給される第１の電圧供給線と、
前記メモリセルに第２の電圧が供給される第２の電圧供給線とから構成されるメモリ部と、
前記選択線を介して前記選択信号を供給して任意のメモリセルを選択し、当該メモリセルにデータを書き込むデータ書込部と、
前記選択線を介して前記選択信号を供給して任意のメモリセルを選択し、当該メモリセルに書き込まれているデータを読み出すデータ読出部と、
前記データ書込部によるデータの書き込み動作を制御し、前記データ読出部によるデータの読み出し動作を制御する制御部とを備え、
前記メモリセルは、前記データ読出部によりデータが読み出された後は、当該データが一定の記憶状態になることを特徴とするリモコン装置。
【請求項７】
請求項１記載のリモコン装置において、
前記第１の不揮発性メモリは、
基板上に、データ記憶手段として強誘電体材料を使用した強誘電体キャパシタを用いたメモリセルと、マトリクス状に複数個並んで配置されている前記メモリセルの中から任意のメモリセルを選択する選択信号が供給される選択線と、前記メモリセルに第１の電圧が供給される第１の電圧供給線と、
前記メモリセルに第２の電圧が供給される第２の電圧供給線とから構成されるメモリ部と、
前記選択線を介して前記選択信号を供給して任意のメモリセルを選択し、当該メモリセルにデータを書き込むデータ書込部と、
前記選択線を介して前記選択信号を供給して任意のメモリセルを選択し、当該メモリセルに書き込まれているデータを読み出すデータ読出部とを備え、
前記データ書込部によるデータの書き込み動作及び前記データ読出部によるデータの読み出し動作は、前記基板の外部に存する外部制御部により制御され、
前記メモリセルは、前記データ読出部によりデータが読み出された後は、当該データが一定の記憶状態になることを特徴とするリモコン装置。
【発明の詳細な説明】
【技術分野】
【０００１】
本発明は、リモコン装置に関し、例えば選択された所望の番組の番組コードを放送受信装置に送信して選局するリモコン装置に関する。
【背景技術】
【０００２】
放送受信装置に番組コードを送信して選局するためのリモコン装置としては、特許文献１〜３に記載のものが知られている。
【０００３】
特許文献１は、ビデオデッキ等の録画装置に録画を行った際に、録画開始時間や録画終了時間等の時刻情報、およびチャンネル情報や番組コード等の放送信号を内蔵されたＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）に格納しておき、ユーザが毎週録画を実施するように録画装置に対して設定した場合にのみＥＥＰＲＯＭから読み出した当該録画情報を利用して番組を録画するものである。
【０００４】
特許文献２は、例えば引越し等に起因してデジタル放送を受信可能なテレビや録画装置等の放送受信装置に対して、チャンネル設定を変更する必要が生じた場合に、バーコードが印刷されたチラシ等の紙媒体に記載されたバーコード情報を放送受信装置に設けられた読取部でスキャンすることで、その地域のチャンネル情報が取得され、自動的に引越し先の地域に適合したチャンネル情報が放送受信装置に設定されるものである。
【０００５】
特許文献３は、特許文献２に記載された機能の実現手法として、上記バーコード情報をリモコン送信機に設けられた読取部でスキャンしてその地域のチャンネル情報を取得し、このチャンネル情報をリモコン送信機から放送受信装置に送信することで、引越し先の地域に適合したチャンネル情報が放送受信装置に設定されるものである。
【特許文献１】特開２００２‐２２３４１０号公報
【特許文献２】特開２００４‐２６０４４０号公報
【特許文献３】特開２００４‐２６０４４１号公報
【発明の開示】
【発明が解決しようとする課題】
【０００６】
ところで、近年、ＢＳ放送やＣＳ放送、デジタル放送、アナログ放送、ケーブルテレビ、建物内映像配信等が普及し、視聴可能な番組数が多くなってきた。
【０００７】
このため、ユーザが所望の番組を選択する場合、曜日や時刻によって良く見ている番組の番組情報（番組コード）を全てユーザが覚えておくには無理が生じてきた。また、同様の理由により、複数チャンネルから良く見ている番組を録画装置に録画予約する場合にも無理がある。さらに、従来のリモコン装置に設けられたキーだけの操作ではユーザが見たい番組全てを設定するのは大変である。
【０００８】
また、番組情報の入手方法には、新聞、雑誌、インターネットに加えて、放送波を利用して放送局からその地域のすべてのチャンネルの番組情報が放送されるＧガイドや、テレビ局やインターネットを介して受信した番組表をテレビの画面に表示する電子番組ガイドＥＰＧ（Ｅｌｅｃｔｒｏｎｉｃ  Ｐｒｏｇｒａｍ  Ｇｕｉｄｅ）等が提供され、番組の情報源に広がりを呈している。
【０００９】
しかしながら、ＧガイドやＥＰＧを利用することで利便性は向上するが、あくまで番組欄が電子化されただけなので、ユーザが見たい番組を選択する手間は、新聞紙上の番組欄を探す手間と同程度であった。
【００１０】
また、上述した理由により、ユーザはリモコンを用いて頻繁にチャンネルを切り替えることが多くなったため、リモコンに内蔵された電池の寿命が低下するといった問題も発生している。
【００１１】
また、特許文献１に記載されたものには、録画情報にチャンネル情報が関連づけされているが、視聴頻度の高いチャンネルから録画情報を得る機能はなかった。
【００１２】
さらに、特許文献２、３に記載されたものには、チャンネル情報の設定機能のみが記載されているが、視聴頻度の高いチャンネルから任意のチャンネルを選択する機能はなかった。
【００１３】
そこで、本発明では、電池の寿命を向上するとともに、視聴頻度の高いチャンネルから任意のチャンネルを選択可能にするリモコン装置を提供することを目的とする。
【課題を解決するための手段】
【００１４】
本発明のリモコン装置は、上述の課題を解決するために、所望の番組に対応した番組コードを放送受信装置に送信して選局するリモコン装置であって、前記放送受信装置から選局の都度に受信した前記選局番組の番組コードを視聴履歴情報として第１の不揮発性メモリに記憶するように制御する第１の制御手段と、前記第１の不揮発性メモリから読み出した視聴履歴情報から同一番組コードを有する番組の視聴回数を抽出して第２の不揮発性メモリに記憶するように制御する第２の制御手段と、前記第２の不揮発性メモリに記憶した番組の視聴回数が所定回数を超えた場合に、この番組コードを高視聴頻度番組情報として第３の不揮発性メモリに記憶するように制御する第３の制御手段と、前記第３の不揮発性メモリから読み出した番組コードに含まれる番組の放送時間が現在の時刻情報と一致する場合に、この番組コードに対応する番組の視聴頻度が高い旨を表示部に表示するように制御する第４の制御手段と、前記視聴頻度が高い番組情報が選択された場合には、この番組情報に含まれる番組コードを前記放送受信装置に送信するように制御する第５の制御手段とを備えたことを特徴とする。
【００１５】
この発明によれば、放送受信装置から選局の都度に受信した選局番組の前記番組コードを視聴履歴情報として第１の不揮発性メモリに記憶し、第１の不揮発性メモリから読み出した視聴履歴情報から同一番組コードを有する番組の視聴回数を抽出して第２の不揮発性メモリに記憶し、第２の不揮発性メモリに記憶した番組の視聴回数が所定回数を超えた場合に、この番組コードを高視聴頻度番組情報として第３の不揮発性メモリに記憶し、第３の不揮発性メモリから読み出した番組コードに含まれる番組の放送時間が現在の時刻情報と一致する場合に、この番組コードに対応する番組の視聴頻度が高い旨を表示部に表示し、この視聴頻度が高い番組情報が選択された場合には、この番組情報に含まれる番組コードを前記放送受信装置に送信するので、チャンネルを切り替えることが少なくなるため、電池の寿命を向上するとともに、視聴頻度の高いチャンネルから任意のチャンネルを選択可能にすることができる。
【００１６】
また、本発明のリモコン装置は、上述の課題を解決するために、前記第３制御手段は、前記第３の不揮発性メモリに記憶された高視聴頻度番組情報の視聴回数が、規定の回数を超えていない場合に、この番組の番組コードを有する一連の情報を前記第３の不揮発性メモリから消去するように制御することを特徴とする。
【００１７】
この発明によれば、高視聴頻度番組情報の視聴回数が、規定の回数を超えていない場合に、この番組の番組コードを有する一連の情報を第３の不揮発性メモリから消去するので、高視聴頻度の番組情報だけを記憶しておくことができる。
【００１８】
また、本発明のリモコン装置は、上述の課題を解決するために、前記第３の制御手段は、前記第３の不揮発性メモリに記憶された高視聴頻度番組情報に対する視聴時間が当該番組の放送時間と比較して所定の比率以下の場合に、当該番組コードの一連の情報を前記第３の不揮発性メモリから消去するように制御することを特徴とする。
【００１９】
この発明によれば、高視聴頻度番組情報に対する視聴時間が当該番組の放送時間と比較して所定の比率以下の場合に、当該番組コードの一連の情報を前記第３の不揮発性メモリから消去することで、わずかな視聴時間の番組情報を高視聴頻度の番組情報から除外して、記憶しておくことができる。
【００２０】
また、本発明のリモコン装置は、上述の課題を解決するために、前記第３の制御手段は、番組改変時期に、前記第３の不揮発性メモリに記憶されている情報を全て消去するように制御することを特徴とする。
【００２１】
この発明によれば、番組改変時期に、第３の不揮発性メモリに記憶されている情報を全て消去することで、番組改変時期の前に放送された番組の番組情報を消去することができ、実際に放送されていない番組の番組情報が表示されていることを回避することができる。
【００２２】
また、本発明のリモコン装置は、上述の課題を解決するために、前記第２の制御手段は、番組改変時期に、少なくとも２回以上の番組改変時期を越えて継続して視聴している番組コードを前記消去後に前記第３の不揮発性メモリに再び記憶するように制御することを特徴とする。
【００２３】
この発明によれば、番組改変時期に、少なくとも２回以上の番組改変時期を越えて継続して視聴している番組コードを再び記憶するので、２回以上の番組改変時期を越えて長期に渡って放送されている番組の番組情報をその放送時刻に表示することができる。
【００２４】
また、本発明のリモコン装置は、上述の課題を解決するために、前記第１の不揮発性メモリは、基板上に、データ記憶手段として強誘電体材料を使用した強誘電体キャパシタを用いたメモリセルと、マトリクス状に複数個並んで配置されている前記メモリセルの中から任意のメモリセルを選択する選択信号が供給される選択線と、前記メモリセルに第１の電圧が供給される第１の電圧供給線と、前記メモリセルに第２の電圧が供給される第２の電圧供給線とから構成されるメモリ部と、前記選択線を介して前記選択信号を供給して任意のメモリセルを選択し、当該メモリセルにデータを書き込むデータ書込部と、前記選択線を介して前記選択信号を供給して任意のメモリセルを選択し、当該メモリセルに書き込まれているデータを読み出すデータ読出部と、前記データ書込部によるデータの書き込み動作を制御し、前記データ読出部によるデータの読み出し動作を制御する制御部とを備え、前記メモリセルは、前記データ読出部によりデータが読み出された後は、当該データが一定の記憶状態になることを特徴とする。
【００２５】
この発明によれば、データの再書き込み動作を行う制御部を有さないため、データ読出部により任意のメモリセルからデータが反転読み出しされた後、当該メモリセルに対してデータの再書き込み動作が実行されず、同一データが複数個存在する状態を回避することができる。
【００２６】
また、本発明のリモコン装置は、上述の課題を解決するために、前記第１の不揮発性メモリは、基板上に、データ記憶手段として強誘電体材料を使用した強誘電体キャパシタを用いたメモリセルと、マトリクス状に複数個並んで配置されている前記メモリセルの中から任意のメモリセルを選択する選択信号が供給される選択線と、前記メモリセルに第１の電圧が供給される第１の電圧供給線と、前記メモリセルに第２の電圧が供給される第２の電圧供給線とから構成されるメモリ部と、前記選択線を介して前記選択信号を供給して任意のメモリセルを選択し、当該メモリセルにデータを書き込むデータ書込部と、前記選択線を介して前記選択信号を供給して任意のメモリセルを選択し、当該メモリセルに書き込まれているデータを読み出すデータ読出部とを備え、前記データ書込部によるデータの書き込み動作及び前記データ読出部によるデータの読み出し動作は、前記基板の外部に存する外部制御部により制御され、前記メモリセルは、前記データ読出部によりデータが読み出された後は、当該データが一定の記憶状態になることを特徴とする。
【００２７】
この発明によれば、基板上にデータ書込部とデータ読出部を制御する機能を実装しないため、基板を小規模化することができる。また、この発明によれば、データ読出部により任意のメモリセルからデータが反転読み出しされた後、当該メモリセルに対してデータの再書き込み動作が行われないため、同一データが複数個存在する状態を回避することができる。
【発明を実施するための最良の形態】
【００２８】
以下、本発明の実施形態を図面に基づいて説明する。
【００２９】
本発明に係るリモコン装置を、図１に示すように、例えば放送受信装置１１に番組コードを送信して選局するためのリモコン送信機に適用して説明する。
【００３０】
図１において、放送受信装置１１には、屋外において地上放送波を受信するための地上波アンテナ１２が接続され、受信した信号がデジタルチューナ部１３に与えられる。
【００３１】
デジタルチューナ部１３は、周波数選択機能、復調回路、逆インタリーブ回路、誤り訂正回路などを備え、選択したデジタル変調信号を復調してトランスポート・ストリームを出力する。デマルチプレクサ（ＤＥＭＵＸ）部１４は、トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ部１４は、ビデオストリームとオーディオストリームをＡＶデコード部１５に供給し、ＰＳＩ／ＳＩに含まれる番組情報などを制御部２６に供給する。
【００３２】
ＡＶデコード部１５は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理部１６に出力され、音声データは音声処理部１８に出力される。
【００３３】
映像処理部１６は、映像データに対して各種処理を行なうと共に、Ｄ／Ａ変換処理を行って映像信号を生成して受像管（ＣＲＴ）１７を駆動する。また、音声処理部１８は、音声データに対して各種処理を行なうと共に、Ｄ／Ａ変換処理を行って音声信号を生成して音声信号を増幅してスピーカ１９に供給する。また、映像処理部１６から出力された映像信号は出力端子２０のＶ端子に出力され、音声処理部１８から出力された音声信号は出力端子２０のＡ端子に出力される。
【００３４】
受光部２１は、リモコン送信機３１ら送出される信号光（リモコン信号）を受光し、これを電気信号に変換してデコード部２２に与える。デコード部２２は、リモコン送信機３１から送信されたチャンネル設定情報をデコードし、制御部２６はこのチャンネル設定情報を内部に設けられたメモリに書き込む。
【００３５】
操作部２３は、放送受信装置１１に設けられた電源キーやチャンネルアップダウンキーなどである。変調部２４は、制御部２６から与えられた番組情報を変調し、赤外線ＬＥＤからなる発光部２５に与えて赤外線ＬＥＤを発光させ、リモコン送信機３１に出力する。制御部２６は、ＣＰＵ、ＲＯＭ、ＲＡＭを有し、この放送受信装置１１における全体制御を行うものであり、ＲＯＭには各種動作に用いるプログラムとともに、物理チャンネル番号と周波数（例えばＰＬＬデータ）の関係を示すテーブルが備えられている。
【００３６】
図１において、リモコン送信機３１に設けられた制御部３２は、ＣＰＵ、ＲＯＭ、ＲＡＭ、ＲＴＣ（Ｒｅａｌ  Ｔｉｍｅ  Ｃｌｏｃｋ）を有し、操作部３３に設けられたキーが操作されると、操作されたキーに対応した指令コードを生成し、変調部３４に与える。
【００３７】
操作部３３上に設けられた専用ボタン３３ａが押された場合に、Ｆｌａｓｈメモリ部３９に記憶された番組コード並びに当該番組コードの視聴時刻情報（日付、曜日、時刻等）が、表示部４１（テレビ、録画装置の表示部、リモコン上にある表示部）に表示されたり、録画装置の録画予約に使用されたりする。
【００３８】
制御部３２は、リモコン機能を制御しており、ユーザが選局した番組コードをＲＴＣから得られた年、月、日時、曜日等の視聴時刻情報とともに強誘電体メモリ（ＦｅＲＡＭ）部３８に一時記憶する。制御部３２は、予め設定された時間、日数を経過して同一時刻に当該番組コードが選択されなかった場合には、強誘電体メモリ部３８から自動的に一連の情報を消去する。
【００３９】
変調部３４は、制御部３２から与えられた指令コードを変調し、赤外線ＬＥＤからなる発光部３５に与えて赤外線ＬＥＤを発光させ放送受信装置１１に出力する。受光部３６は、放送受信装置１１から送出される信号光（番組情報）を受光し、これを電気信号に変換してデコード部３７に与える。デコード部３７は、放送受信装置１１から送信された情報コードが番組コードにデコードされ、制御部３２はこの番組コードをワークＲＡＭ部４２に書き込む。
【００４０】
強誘電体メモリ部３８は、データが蓄積される複数のメモリセルからなり、メモリセルからデータが読み出された場合に、メモリセルに読み出されたデータを残さない機能を有する一時記憶メモリであり、読み出される以前は不揮発性メモリである。強誘電体メモリ部３８は、放送受信装置１１から選局の都度に受信した選局番組の番組コードを視聴履歴情報として記憶する。
【００４１】
Ｆｌａｓｈメモリ部３９は、不揮発性メモリからなり、強誘電体メモリ部３８から読み出した視聴履歴情報から同一番組コードを有する番組の視聴回数を抽出してこの視聴回数が所定回数を超えた場合に、この番組コードを高視聴頻度番組情報として記憶する。
【００４２】
表示処理部４０は、制御部３２から入力された番組コードを表示処理して表示部４１に表示する。ワークＲＡＭ部４２には、制御部３２によりデコード部３７でデコードされた番組情報が書き込まれる。
【００４３】
＜強誘電体メモリ部３８の第１の構成例＞
ここで、強誘電体メモリ部３８の第１の構成例について説明する。強誘電体メモリ部３８Ａは、図２に示すように、基板（Ｃｈｉｐ）５０上に、強誘電体材料がデータの蓄積メモリとして構成されるメモリセル１００と、マトリクス状に複数個並んで配置されているメモリセル１００の中から任意のメモリセル１００を選択する選択信号Ｓ１が供給される選択線（以降、ワードライン（ＷＬ、Ｗｏｒｄ  Ｌｉｎｅ）と呼ぶ。）１０１と、メモリセル１００に第１の電圧Ｖ１が供給される第１の電圧供給線（以降、ビットライン（ＢＬ、Ｂｉｔ  Ｌｉｎｅ）と呼ぶ。）１０２と、メモリセル１００に第２の電圧Ｖ２が供給される第２の電圧供給線（以降、プレートライン（ＰＬ、Ｐｌａｔｅ  Ｌｉｎｅ）と呼ぶ。）１０３とから構成されるメモリセル群５１と、ＷＬ１０１を介して選択信号Ｓ１を供給して任意のメモリセル１００を選択し、当該メモリセル１００にデータを書き込むデータ書込部５２と、ＷＬ１０１を介して選択信号Ｓ１を供給して任意のメモリセル１００を選択し、当該メモリセル１００に書き込まれているデータを読み出すデータ読出部５３と、データ書込部５２によるデータの書き込み動作を制御し、また、データ読出部５３によるデータの読み出し動作を制御する制御部５４とを備える。
【００４４】
また、メモリセル１００は、データ読出部５３によりデータが反転して読み出された後は、データの再書き込み動作が行われず、その状態（反転状態）が維持される。
【００４５】
ここで、メモリセル群５１の構成について詳述する。メモリセル群５１は、図３に示すように、複数のメモリセル１００と、ＷＬ１０１に選択信号Ｓ１を供給するＷＬ駆動部１０４と、ＢＬ１０２に第１の電圧Ｖ１を供給するＢＬ駆動部１０５と、ＰＬ１０３に第２の電圧Ｖ２を供給するＰＬ駆動部１０６とを備える。
【００４６】
メモリセル１００は、図４に示すように、トランジスタ１１０と、強誘電体（以降、強誘電体キャパシタと呼ぶ。）から構成されるキャパシタ１１１とから構成されており、トランジスタ１１０のゲート端子にＷＬ１０１が接続され、また、トランジスタ１１０のドレイン端子（又はソース端子）にＢＬ１０２が接続され、また、トランジスタ１１０のソース端子（又はドレイン端子）にキャパシタ１１１の一方側の端子が接続され、さらに、キャパシタ１１１の他方側の端子にＰＬ１０３が接続されている。また、強誘電体キャパシタの材料としては、ＰＺＴ（ジルコン酸チタン酸鉛）等のペロブスカイト化合物系や、ＳＢＺ（チタン酸バリウム・ストロンチウム）等の層状ペロブスカイト化合物系が用いられる。また、本実施例では、メモリセル１００は、いわゆる１Ｔ／１Ｃ型を示しているが、これに限定されず、例えば、２Ｔ／２Ｃ型等であっても良い。
【００４７】
ＷＬ駆動部１０４は、行方向アドレスデコーダを有しており、アドレス選択されたＷＬ１０１に、データの書き込み又は読み出しに応じた電位を供給する。
【００４８】
ＢＬ駆動部１０５は、列方向アドレスデコーダと、センスアンプとを有しており、アドレス選択されたＢＬ１０２に、データの書き込み又は読み出しに応じた電位を供給する。また、ＢＬ駆動部１０５は、データの読み出し時においては、ＢＬ１０２を介してセンスアンプに供給される電圧をセンスアンプにおいて増幅し、増幅後の信号を外部に出力する。
【００４９】
ＰＬ駆動部１０６は、行方向アドレスデコーダを含んで構成されており、アドレス選択されたＰＬ１０３に、データの書き込み又は読み出しに応じた電位を供給する。
【００５０】
ここで、メモリセル１００にデータを書き込む動作について説明する。データ書込部５２は、制御部５４による書き込み制御にしたがって、メモリセル群５１のＷＬ駆動部１０４と、ＢＬ駆動部１０５と、ＰＬ駆動部１０６に所定の信号を供給する。ＷＬ駆動部１０４は、データ書込部５２から供給された信号にしたがって、任意のＷＬ１０１を選択し、選択したＷＬ１０１に所定の選択信号を供給する。ＷＬ駆動部１０４により選択されたＷＬ１０１上のメモリセル１００は、ゲート端子に選択信号が供給されることによりトランジスタ１１０がＯＮ状態となる。
【００５１】
また、ＢＬ駆動部１０５は、データ書込部５２から供給された信号にしたがって、任意のＢＬ１０２を選択し、選択したＢＬ１０２に第１の電圧Ｖ１を供給する。また、ＰＬ駆動部１０６は、データ書込部５２から供給された信号にしたがって、任意のＰＬ１０３に所定の第２の電圧Ｖ２を供給する。
【００５２】
例えば、ＢＬ１０２に第１の電圧Ｖ１として０Ｖが印加され、ＰＬ１０３に第２の電圧Ｖ２としてＶｃｃが印加されると、キャパシタ１１１には「０」が書き込まれ、また、ＢＬ１０２に第１の電圧Ｖ１としてＶｃｃが印加され、ＰＬ１０３に第２の電圧Ｖ２として０Ｖが印加されると、キャパシタ１１１には「１」が書き込まれる。
【００５３】
また、キャパシタ１１１は、ＷＬ１０１が非選択状態（トランジスタ１１０がＯＦＦ状態）になっても書き込まれたデータ（状態）を保持する。
【００５４】
つぎに、メモリセル１００に書き込まれているデータを読み出す動作について説明する。まず、外部からアドレス信号並びに読み出しを行うための読み出し制御信号が供給される。また、供給されたアドレス信号は、図示しないアドレスデコード回路部により、ＷＬ１０１とＰＬ１０３とを選択するためのＸデコード信号にデコードされ、センスアンプ回路やＢＬ１０２を選択するためのＹデコード信号にデコードされる。
【００５５】
また、Ｘデコード信号は、ＷＬ１０１に備えられているＷＬ駆動部１０４と、ＰＬ１０３に備えられているＰＬ駆動部１０６に供給される。ＷＬ駆動部１０４は、Ｘデコード信号に基づいて任意のＷＬ１０１を選択する。また、ＰＬ駆動部１０６は、Ｘデコード信号に基づいて任意のＰＬ１０３を選択する。
【００５６】
また、Ｙデコード信号は、ＢＬ１０２に備えられているＢＬ駆動部１０５に供給される。ＢＬ駆動部１０５は、Ｙデコード信号に基づいて任意のＢＬ１０２とセンスアンプ回路とを選択する。
【００５７】
また、外部から供給されたアドレス信号にしたがって、ＷＬ１０１並びにＰＬ１０３が選択されたメモリセル１００は、キャパシタ１１１に記憶されているデータに応じた電圧をＢＬ１０２上に出力する。
【００５８】
一方、外部から供給された読み出し制御信号は、制御部５４に供給され、ＢＬ１０２並びにＢＬ駆動部１０５（センスアンプ回路）を動作させるタイミングを制御するための信号として用いられる。
【００５９】
また、ＢＬ１０２上に出力された電圧は、制御部５４によるＢＬ１０２を選択するタイミングと、センスアンプ回路を動作させるタイミングとにしたがって、増幅された後、読み出しデータとして外部に出力される。
【００６０】
また、ＢＬ駆動部１０５は、データ読出部５３から供給された信号にしたがって、任意のＢＬ１０２を選択し、選択したＢＬ１０２に第１の電圧Ｖ１を供給する。また、ＰＬ駆動部１０６は、データ読出部５３から供給された信号にしたがって、任意のＰＬ１０３に所定の第２の電圧Ｖ２を供給する。
【００６１】
例えば、ＢＬ１０２に第１の電圧Ｖ１として０Ｖが印加され、ＰＬ１０３に第２の電圧Ｖ２としてＶｃｃが印加されると、キャパシタ１１１の分極状態に応じた電圧がＢＬ１０２を介してＢＬ駆動部１０５のセンスアンプに供給される。
【００６２】
センスアンプは、供給された電圧に応じて、「１」又は「０」を判断して外部に出力する。
【００６３】
また、キャパシタ１１１は、「１」が読み出された場合には、分極状態が「１」の状態から「０」の状態に反転され、この反転状態を維持する、いわゆる破壊読み出しが行われる。なお、キャパシタ１１１は、「０」が読み出された場合には、分極状態の反転が生じないため、データの読み出し後も「０」が維持される。
【００６４】
したがって、本発明に係るメモリ部１０Ａは、反転読み出しをした際に、従来から行われているデータの再書き込み動作を行う機能を有さないため、データ読出部５３により任意のメモリセル１００からデータが反転読み出された後、当該メモリセル１００に対してデータの再書き込み動作が実行されず、同一データが複数個存在する状態を回避することができる。なお、メモリからデータが読み出された後、同一のデータがメモリ上に残ってしまうような従来型の構成の場合、データを読み出した回数分、同一のデータが存在してしまうことになる。そうなると、重複して存在するデータを悪用される問題があり、セキュリティを図る上で障害となってしまう。
【００６５】
また、強誘電体メモリ部３８Ａは、基板５０上に制御部５４を備えず、外部制御部により同様の制御が行われるような構成であっても良い。
【００６６】
このような構成によれば、基板５０上にデータ書込部５２とデータ読出部５３を制御する機能を実装しないため、基板５０を小規模化することができる。また、このような構成においても、データ読出部５３により任意のメモリセル１００からデータが反転読み出された後、当該メモリセル１００に対してデータの再書き込み動作が実行されず、同一データが複数個存在する状態を回避することができる。
【００６７】
＜強誘電体メモリ部３８の第２の構成例＞
つぎに、強誘電体メモリ部３８の第２の構成例について以下に説明する。なお、上述した強誘電体メモリ部３８Ａと同一の構成要素については、同一の番号を付し、詳細な説明を省略する。
【００６８】
強誘電体メモリ部３８Ｂは、図５に示すように、基板５０上に、強誘電体材料がデータの蓄積メモリとして構成されるメモリセル１００と、マトリクス状に複数個並んで配置されているメモリセル１００の中から任意のメモリセル１００を選択する選択信号Ｓ１が供給されるＷＬ１０１と、メモリセル１００に第１の電圧Ｖ１が供給されるＢＬ１０２と、メモリセル１００に第２の電圧Ｖ２が供給されるＰＬ１０３とから構成されるメモリセル群５１と、ＷＬ１０１を介して選択信号Ｓ１を供給して任意のメモリセル１００を選択し、当該メモリセル１００にデータを書き込むデータ書込部５２と、ＷＬ１０１を介して選択信号Ｓ１を供給して任意のメモリセル１００を選択し、当該メモリセル１００に書き込まれているデータを読み出すデータ読出部５３と、データ書込部５２によるデータの書き込み動作を制御し、また、データ読出部５３によるデータの読み出し動作を制御する制御部５４と、データ読出部５３によりデータが読み出された任意のメモリセル１００に対して、読み出したデータと同一のデータを再書き込みするようにデータ書込部５２を制御するデータ再書込制御部５５を備える。
【００６９】
データ再書込制御部５５は、メモリセル群５１の動作確認検査を行う場合にのみデータの再書き込み動作を行い、それ以外の場合には再書き込み動作を行わないようにデータ書込部５２を制御する。
【００７０】
ここで、メモリセル群５１の動作確認検査を行う場合におけるデータの再書き込み動作について説明する。なお、キャパシタ１１１から「１」を読み出した場合には、ＢＬ１０２の電位は、Ｖｃｃになっている。また、再書き込み動作は、データが反転読み出しをされた後所定期間内に実行されるものとする。
【００７１】
データ書込部５２は、データ再書込制御部５５によるデータの再書き込み制御にしたがって、ＰＬ駆動部１０６に所定の信号を供給する。ＰＬ駆動部１０６は、反転読み出しをされたキャパシタ１１１が接続されているＰＬ１０３の電位を０Ｖにする。したがって、キャパシタ１１１は、逆バイアスが印加されることになり、元の状態である「１」が再書き込みされる。
【００７２】
したがって、本発明に係るメモリ部１０Ｂは、工場出荷時においてメモリセル群５１の動作確認検査を行う場合には、基板５０上に搭載されているデータ再書込制御部５５を利用することができ、また、検査終了後には、データ再書込制御部５５の機能を無効（制限）にすることができる。ゆえに、本発明に係るメモリ部１０Ｂは、検査終了後においては、データ読出部５３により任意のメモリセル１００からデータが反転読み出しをされた後、当該メモリセル１００に対してデータの再書き込み動作が実行されないため、同一データが複数個存在する状態を回避することができる。
【００７３】
また、メモリ部１０Ｂは、基板５０上に制御部５４及びデータ再書込制御部５５を備えず、外部制御部により同様の制御が行われるような構成であっても良い。
【００７４】
このような構成によれば、基板５０上にデータ書込部５２とデータ読出部５３を制御する機能を実装しないため、基板５０を小規模化することができる。また、このような構成においても、工場出荷時においてメモリセル群５１の動作確認検査を行う場合には、基板５０上に搭載されているデータ再書込制御部５５を利用することができ、また、検査終了後には、データ再書込制御部５５の機能を無効（制限）にすることができる。また、本構成においても、検査終了後においては、データ読出部５３により任意のメモリセル１００からデータが反転読み出しをされた後、当該メモリセル１００に対してデータの再書き込み動作が実行されないため、同一データが複数個存在する状態を回避することができる。
＜放送受信装置の動作説明＞
【００７５】
次に、図１に示すブロック図を参照して放送受信装置１１の動作を説明する。放送受信装置１１の電源が投入されると、制御部２６は内部メモリに記憶された前回の電源停止時のチャンネル設定情報を読み出し、このチャンネル設定情報をデジタルチューナ部１３に設定することで前回のチャンネルが選局される。
【００７６】
また、ユーザによりリモコン送信機３１の操作部３３にあるチャンネルボタン（図示せず）が押されると、制御部３２はこのチャンネル設定情報を操作部３３から読み出し、変調部３４に送って変調させた後に発光部３５に伝えられ、変調された赤外線信号（リモコン信号）が送出される。この赤外線信号を受光した放送受信装置１１の受光部２１は、赤外線信号を電気信号に変換してデコード部２２に送り、リモコン送信機３１が送信したチャンネル設定情報がデコードされ、制御部２６の内部メモリに記憶される。次いで、制御部２６はこのチャンネル設定情報をデジタルチューナ部１３に設定することで選局される。
【００７７】
このとき、地上放送波が地上波アンテナ１２からデジタルチューナ部１３に与えられる。デジタルチューナ部１３では、設定されたチャンネル設定情報に応じて選択されたデジタル変調信号を復調してトランスポート・ストリームをデマルチプレクサ部１４に出力する。デマルチプレクサ部１４では、このトランスポート・ストリームをＭＰＥＧ２のビデオストリーム、オーディオストリームおよびＰＳＩ／ＳＩ等に分離する。
【００７８】
次いで、デマルチプレクサ部１４からのビデオストリーム、オーディオストリームを入力したＡＶデコード部１５は、ビデオストリームをデコードして映像データを映像処理部１６に出力し、オーディオストリームをデコードして音声データを音声処理部１８に出力する。
【００７９】
次いで、映像処理部１６では、映像データに対して各種処理を行なった後にＤ／Ａ変換処理を行って映像信号を生成し、受像管１７を駆動する。また、音声処理部１８では、音声データに対して各種処理を行なった後にＤ／Ａ変換処理を行って音声信号を生成し、音声信号を増幅してスピーカ１９に供給する。
【００８０】
一方、デマルチプレクサ部１４で分離されたＰＳＩ／ＳＩに含まれる番組情報は制御部２６に供給され、一時的に内部メモリに記憶される。また、制御部２６は内部メモリに記憶された番組情報を読み出して変調部２４に出力する。変調部２４では、この番組情報を変調して発光部２５に与え、赤外線ＬＥＤを発光させてリモコン送信機３１に出力する。この結果、現在選局されている番組の番組情報（チャンネル番号、番組の開始から終了までの放送時間帯、番組名）がリモコン送信機３１に送信される。
【００８１】
＜リモコン送信機による情報収集動作の説明＞
次に、図６に示すフローチャート、図７に示す番組履歴テーブル、図８に示す視聴頻度テーブルを参照してリモコン送信機３１による番組情報に関する情報収集の動作を説明する。
【００８２】
まず、ステップＳ５では、制御部３２は、操作部３３に設けられたチャンネルキーが押され選局されたか否かを判断し、チャンネルキーが押されるまでこの処理を繰り返す。一方、チャンネルキーが押された場合、ステップＳ１０に進む。
【００８３】
このとき、チャンネルキーが押された場合、放送受信装置１１から信号光（現在視聴中の番組情報）が送出される。この信号光を受光した受光部３６は、これを電気信号に変換してコード情報をデコード部３７に与え、デコード部３７は、コード情報を番組情報にデコードする。
【００８４】
次いで、ステップＳ１０では、制御部３２は、デコード部３７によりデコードされた番組情報を入力してワークＲＡＭ部４２に書き込む。
【００８５】
次いで、ステップＳ２０では、制御部３２は、ワークＲＡＭ部４２に記憶された現在視聴中の番組情報（チャンネル番号、放送時間帯、番組名）を読み出し、レコード番号ＲＮに１レコード分のビット数を乗算した書込アドレスを指定して強誘電体メモリ部３８の番組履歴テーブル７１に視聴履歴情報として記憶し、次いで、レコード番号ＲＮに１を加算した値（ＲＮ＋１）をレコードポインタとしてＦｌａｓｈメモリ部３９に記憶して管理する。なお、レコード番号ＲＮの初期値を０とする。
【００８６】
次いで、ステップＳ３０では、制御部３２は、データ整理を行うか否かを判断し、データ整理を行わない場合にはステップＳ５に戻る。一方、データ整理を行う場合にはステップＳ４０に進む。
【００８７】
なお、ステップＳ３０では、データ整理として例えば前回のデータ整理から１週間経過した場合や、操作部３３に設けられたデータ整理キー（図示しない）が押された場合や、Ｆｌａｓｈメモリ部３９に記憶してあるレコード番号ＲＮの値が強誘電体メモリ部３８の記憶容量の例えば８０％に達した場合等を、データ整理を行うべき時期とする。
【００８８】
この結果、図７に示すように、ユーザが選局する毎に、番組のチャンネル番号、曜日、放送時間帯、番組名が番組履歴テーブル７１に記憶される。なお、番組履歴テーブル７１にはレコード番号は記憶されない。
【００８９】
次いで、ステップＳ４０では、データ整理を行うため、制御部３２は、強誘電体メモリ部３８の番組履歴テーブル７１からレコード番号ＲＮに１レコード分のビット数を乗算したデータ量分を指定して全ての番組履歴情報を読み出し、ワークＲＡＭ部４２にＤＭＡ転送して記憶する。このとき、強誘電体メモリ部３８からこの読出アドレスで指定されたメモリ素子から記憶内容が消去される。
【００９０】
次いで、ステップＳ５０では、制御部３２は、ワークＲＡＭ部４２に記憶された全ての番組履歴情報に対して、番組情報（チャンネル番号、放送曜日、放送時間帯、番組名）をキーとし、このキーに一致する番組情報のレコード数を計数して視聴回数とし、Ｆｌａｓｈメモリ部３９に視聴頻度テーブル７３を作成する。
【００９１】
この結果、図８に示すように、チャンネル番号、放送曜日、放送時間帯、番組名とその視聴回数を示す視聴頻度テーブル７３がＦｌａｓｈメモリ部３９に作成される。
【００９２】
次いで、ステップＳ６０では、制御部３２は、第１の視聴回数判断処理として、ワークＲＡＭ部４２に転送して記憶された番組履歴テーブル７１に対して、番組情報（チャンネル番号、放送曜日、放送時間帯、番組名）をキーとし、このキー同士が一致する番組情報を視聴したときの視聴時刻から番組終了時刻までの時間と、放送時間（放送時間帯）との比率が予め設定された基準比率内かどうか判断する。また、制御部３２は、同一番組が繰り返し視聴された日数が予め設定された基準日数として値Ｄｒ内かを判断する。当該番組情報がこの基準内の場合にはステップＳ１１０に進む。一方、当該番組情報がこの基準よりも大きい場合にはステップＳ７０に進む。
【００９３】
次いで、ステップＳ７０では、制御部３２は、第２の視聴回数判断処理として、Ｆｌａｓｈメモリ部３９の視聴頻度テーブル７３から視聴回数を読み出し、読み出した視聴回数が予め設定された視聴回数として値Ｎｒを越えて視聴されたかを判断する。視聴回数が予め設定された視聴回数Ｎｒを越えていない場合には、ステップＳ５０に進む。一方、視聴回数が予め設定された視聴回数Ｎｒを越えている場合には、ステップＳ８０に進む。
【００９４】
次いで、ステップＳ８０では、制御部３２は、視聴回数が予め設定された視聴回数Ｎｒを越えている番組情報を高視聴頻度番組としＦｌａｓｈメモリ部３９の高視聴頻度番組テーブル７５に記憶する。
【００９５】
次いで、ステップＳ９０では、制御部３２は、第１の消去判断処理として、Ｆｌａｓｈメモリ部３９に記憶された番組情報を消去するために、ユーザが操作部３３に設けられた消去キー（図示しない）を押したか否かを判断する。
【００９６】
ここで、ステップＳ９０で操作部３３に設けられた消去キー（図示しない）が押された場合には、ステップＳ１１０に進み、Ｆｌａｓｈメモリ部３９に記憶されたこの番組情報を消去する。例えば毎年４月、９月頃に行われる番組改変時期に合わせて、Ｆｌａｓｈメモリ部３９に記憶された全ての番組情報を消去する。なお、Ｆｌａｓｈメモリ部３９に記憶されたデータを強誘電体メモリ部３８に移し変えてもよい。
【００９７】
また、ステップＳ９０で操作部３３に設けられた消去キーが押されていない場合には、ステップＳ１００に進む。ステップＳ１００では、制御部３２は、第２の消去判断処理として、ステップＳ４０においてワークＲＡＭ部４２に転送された番組履歴テーブルから番組情報（チャンネル番号、放送曜日、放送時間帯、番組名）をキーとし、このキーに一致する番組情報に対応した視聴時刻情報のうち最も昔の日付と最も新しい日付とを抽出し、最も昔の日付から最も新しい日付までの期間が６ヶ月以上の場合にはこの番組を長寿番組であると判断し、この番組情報をワークＲＡＭ部４２に長寿番組の番組情報として記憶する。また、制御部３２は、ワークＲＡＭ部４２に転送された番組履歴テーブルから番組情報（チャンネル番号、放送曜日、放送時間帯、番組名）をキーとし、このキーに一致する番組情報に対応した視聴時刻情報のうち毎月１度（たまに見る）は見る番組を抽出して、この番組情報をワークＲＡＭ部４２にたまに見る番組の番組情報として記憶する。
【００９８】
ステップＳ１１０では、番組情報を視聴したときの視聴時刻から番組終了時刻までの時間と、放送時間（放送時間帯）との比率が予め設定された基準比率内の場合、また、同一番組が繰り返し視聴された日数が基準日数Ｄｒ内の場合には、ワークＲＡＭ部４２に転送して記憶された番組履歴テーブル７１に対して、該当する番組情報（チャンネル番号、放送曜日、放送時間帯、番組名）をＦｌａｓｈメモリ部３９から消去する。
【００９９】
また、ステップＳ１１０において、Ｆｌａｓｈメモリ部３９に記憶されたデータが記憶容量の８０％に達した場合には、データを整理して空領域を確保する必要が発生した場合にも、Ｆｌａｓｈメモリ部３９に記憶されたデータを部分的に強誘電体メモリ部３８に移動させてもよい。
【０１００】
次いで、ステップＳ１２０では、制御部３２は、ワークＲＡＭ部４２に記憶されているたまに見る番組の番組情報を読み出し、この番組情報をＦｌａｓｈメモリ部３９にたまに見る番組の番組情報として記憶して登録する。なお、番組改変時期に、ユーザがたまに見る番組として設定しておいた番組情報を強誘電体メモリ部３８に移動するようにしてもよい。例えば、毎年４月、９月頃に行われる番組改変時期に合わせて、Ｆｌａｓｈメモリ部３９に記憶されたデータを継続して残しておく、または、Ｆｌａｓｈメモリ部３９に記憶されたデータを強誘電体メモリ部３８に移し変えないこととする。
【０１０１】
また、ステップＳ１３０では、制御部３２は、ワークＲＡＭ部４２に記憶されている長寿番組の番組情報を読み出し、この番組情報をＦｌａｓｈメモリ部３９に長寿番組の番組情報として記憶して登録する。なお、制御部３２は、Ｆｌａｓｈメモリ部３９に記憶してある視聴情報として、ユーザが少なくとも２回以上の番組改変時期を越えて継続して視聴している長寿番組の場合には、Ｆｌａｓｈメモリ部３９に継続して記憶しておく。上述したステップＳ１１０〜Ｓ１３０の処理を実行した後、処理を終了する。
【０１０２】
なお、第１の番組表示処理、第２の番組表示処理は、放送受信装置１１から受信したＥＰＧ等から取得された番組内容と関連付けして表示させたり、番組開始から予め設定された期間内の画像情報を表示すればよい。
【０１０３】
また、第１の番組表示処理、第２の番組表示処理から録画予約したい番組に関する時刻情報（日付、曜日、時間）、番組コード情報等を録画再生装置へ転送するのに使用される。
【０１０４】
この結果、図９に示すように、高頻度の番組の番組情報として、チャンネル番号、放送曜日、放送時間帯、番組名を記憶した高視聴頻度番組テーブル７５がＦｌａｓｈメモリ部３９に作成される。
【０１０５】
なお、ユーザが１回しか視聴していない番組情報の中で、繰り返し視聴する必要がある番組情報に関しては、該当する番組情報をＦｌａｓｈメモリ部３９へ登録するようにしてもよい。
【０１０６】
＜リモコン送信機による選局動作の説明＞
次に、図９に示す高視聴頻度番組テーブル、図１０に示すフローチャートを参照して、リモコン送信機３１による選局動作を説明する。
【０１０７】
まず、ステップＳ２１０では、制御部３２は、ＲＴＣから現在の時刻データを読み出す。次いで、ステップＳ２２０では、現在選局可能な高視聴頻度の番組を検索する。すなわち、制御部３２は、Ｆｌａｓｈメモリ部３９から高視聴頻度の番組情報の放送時間帯を読み出し、ＲＴＣから読み出した現在の時刻データと一致する番組情報を検索する。
【０１０８】
現在選局可能な高視聴頻度の番組がある場合には、ステップＳ２３０に進み、制御部３２は、第１の番組表示処理としては、Ｆｌａｓｈメモリ部３９から読み出した現在選局可能な番組情報を表示処理部４０に出力し、表示処理部４０で番組情報から表示画像データを生成して表示部４１に出力して表示する。そして、表示部４１の画面上に表示された番組情報に対してこれを指示するように操作部３３の操作により表示画面上をカーソルが移動される。
【０１０９】
ここで、ステップＳ２４０では、選択キー（図示しない）が押されたか否かを判断する。選択キーが押された場合には、ステップＳ２５０に進み、制御部３２は、ユーザが最近視聴した番組の番組情報を変調部３４に出力する。変調部３４において変調させた後に発光部３５に伝えられ、変調された赤外線信号（リモコン信号）が送出される。次いで、ステップＳ５に進む。
【０１１０】
この赤外線信号を受光した放送受信装置１１では、受光部２１からの電気信号をデコード部２２で番組情報にデコードされ、制御部２６から映像処理部１６に番組情報を出力し、次いで、映像処理部１６で番組情報から表示画像データを生成して受像管１７に表示する。
【０１１１】
このようにして、大容量のＦｌａｓｈメモリ部３９に高頻度の視聴番組情報が格納されているため、その番組が放送される時間帯になったら表示部４１にユーザが見たい番組の情報を表示して簡単に選択できるようにすることができる。
【０１１２】
また、全ての曜日、時間帯に対応した番組コードを記憶する必要がなく、リモコン送信機３１自体に番組コード等の情報を格納することで、高頻度の視聴番組を容易に選択して視聴することができる。
【０１１３】
また、リモコン送信機３１の操作部３３のキーに視聴したい全ての番組情報を設定できない場合でも、この実施形態のように、高頻度の視聴番組情報を表示するための専用ボタン３３ａを設け、専用ボタン３３ａを押した時点に相当する時刻情報（曜日、時刻）を有する高頻度の視聴番組情報を表示部４１に表示することができ、さらに、ユーザの操作に応じて高頻度の番組を簡単に視聴することができる。
【０１１４】
なお、この実施形態においては、強誘電体メモリ部３８を第１の不揮発性メモリとして用いたが、本発明はこのような場合に限定されるものではなく、強誘電体メモリに代わって例えばＦｌａｓｈメモリを用いてもよい。
【０１１５】
また、この実施形態においては、放送受信装置を操作するためのリモコン送信機３１について説明したが、本発明はこのような場合に限定されるものではなく、リモコン送信機３１内に格納された時刻情報（曜日、日時情報）に関連付けられた番組コードを使用して録画再生装置の予約録画設定を簡単に行うこともできる。
また、強誘電体メモリ部は、ワークＲＡＭ部として利用されてもよい。このような場合には、強誘電体メモリ部は、上述した本発明に係る利用がされる第１の領域と、ワークＲＡＭ部として利用される第２の領域とから構成される。
【図面の簡単な説明】
【０１１６】
【図１】本発明の実施形態に係るリモコン送信機と、放送受信装置の構成を示すブロック図である。
【図２】図１に示す強誘電体メモリ部の第１の構成例を示すブロック図である。
【図３】図２に示す強誘電体メモリ部に備えられているメモリ部の構成を示すブロック図である。
【図４】図２に示すメモリ部に備えられているメモリセルの構成を示すブロック図である。
【図５】図１に示す強誘電体メモリの第２の構成例を示すブロック図である。
【図６】本発明の実施形態に係るリモコン送信機の動作を説明するためのフローチャート（その１）である。
【図７】図１に示す強誘電体メモリ部に記憶されている番組履歴テーブルの構成を示す図である。
【図８】図１に示すＦｌａｓｈメモリ部３９に記憶されている視聴頻度テーブルの構成を示す図である。
【図９】図１に示すＦｌａｓｈメモリ部３９に記憶されている高視聴頻度番組テーブルの構成を示す図である。
【図１０】本発明の実施形態に係るリモコン送信機の動作を説明するためのフローチャート（その２）である。
【符号の説明】
【０１１７】
１１…放送受信装置、１２…地上波アンテナ、１３…デジタルチューナ部、１４…デマルチプレクサ部、１５…ＡＶデコード部、１６…映像処理部、１７…受像管、１８…音声処理部、１９…スピーカ、２０…出力端子、２１…受光部、３１…リモコン送信機、２２…デコード部、２３…操作部、２４…変調部、２５…発光部、２６…制御部、３２…制御部、３３…操作部、３４…変調部、３３ａ…専用ボタン、３５…発光部、３６…受光部、３７…デコード部、３８…強誘電体メモリ部、３９…Ｆｌａｓｈメモリ部、４０…表示処理部、４１…表示部、４２…ワークＲＡＭ部、５０…基板、５１…メモリセル群、５２…データ書込部、５３…データ読出部、５４…制御部、５５…データ再書込制御部、７１…番組履歴テーブル、７３…視聴頻度テーブル、７５…高視聴頻度番組テーブル、１００…メモリセル、１０１…選択線（ワードライン（ＷＬ））、１０２…第１の電圧供給線（ビットライン（ＢＬ））、１０３…第２の電圧供給線（プレートライン（ＰＬ））、１０４…ＷＬ駆動部、１０５…ＢＬ駆動部、１０６…ＰＬ駆動部、１１０…トランジスタ、１１１…キャパシタ。
【図１】
2007325085.tif 000003
【図２】
2007325085.tif 000004
【図３】
2007325085.tif 000005
【図４】
2007325085.tif 000006
【図５】
2007325085.tif 000007
【図６】
2007325085.tif 000008
【図７】
2007325085.tif 000009
【図８】
2007325085.tif 000010
【図９】
2007325085.tif 000011
【図１０】
2007325085.tif 000012